(57)【要約】【課題】構造物の補修品質の低下を抑制することが可能な補修材セットを提供する。【解決手段】補修材セット１０は、構造物の補修材セット１０であって、補修材１と水２と養生剤３とを備える。補修材１は第１容器１１に収容される。水２は第２容器１２に収容される。水２は補修材１と混合される。養生剤３は第３容器１３に収容される。養生剤３は、補修材１と水２とが混合された補修部材が構造物の補修箇所に配置された後、補修部材の表面に塗布される。補修材１の質量は水２の体積に基づき決定されている。【選択図】図１
0003234430.tif 000002
【実用新案登録請求の範囲】
【請求項１】
構造物の補修材セットであって、
第１容器に収容された補修材と、
第２容器に収容され、前記補修材と混合される水と、
第３容器に収容され、前記補修材と前記水とが混合された補修部材が前記構造物の補修箇所に配置された後、前記補修部材の表面に塗布される養生剤と、を備え、
前記補修材の質量は前記水の体積に基づき決定されている、補修材セット。
【請求項２】
前記第１容器に収容された前記補修材と、前記第２容器に収容された前記水と、前記第３容器に収容された前記養生剤とを格納する外装部材をさらに備える、請求項１に記載の補修材セット。
【請求項３】
前記補修部材の前記表面に塗布された前記養生剤上に貼付される養生シートをさらに備える、請求項１または請求項２に記載の補修材セット。
【請求項４】
前記第１容器に収容される前記補修材の質量は２．６ｋｇ以上３．３ｋｇ以下であり、
前記第２容器に収容される前記水の体積は０．４５リットル以上０．５５リットル以下であり、
前記補修部材の前記表面に塗布された前記養生剤上に貼付される養生シートをさらに備え、
前記養生シートの平面形状は四角形状であり、
前記養生シートの前記平面形状における１辺の長さは４ｃｍ以上８ｃｍ以下である、請求項１または請求項２に記載の補修材セット。
【請求項５】
前記補修材はポリマーセメントモルタル材であり、
前記養生剤はアクリルエマルジョンまたはアクリル樹脂系のポリマーディスパージョンであり、
前記養生シートは生分解シートである、請求項３または請求項４に記載の補修材セット。
【考案の詳細な説明】
【技術分野】
【０００１】
本開示は、補修材セットに関する。
【背景技術】
【０００２】
従来、構造物を補修するために補修材が用いられる。たとえば、特開２０１９−１７８０３５号公報には、構成材料の種類および比率を適宜選択することで、流動性および自己充填性が高いコンクリート構造物補修用のモルタルおよび当該モルタルの原料となる補修材が開示されている。
【先行技術文献】
【特許文献】
【０００３】
【特許文献１】特開２０１９−１７８０３５号公報
【考案の概要】
【考案が解決しようとする課題】
【０００４】
たとえば山間部などに設置されている鉄塔の基礎といった構造物を補修する場合、当該構造物の設置場所まで道路が十分に整備されていないなどの事情により、作業者が現地で水と補修材などとを混練してモルタルを調製する場合がある。しかし、作業者が当該モルタルの調製を行うときに、モルタルの構成材料の混合割合にばらつきが発生し、調整されたモルタルの品質がばらつく場合がある。この結果、構造物の補修品質が低下する場合があった。
【０００５】
本開示は、このような課題を解決するためになされたものであり、本開示の目的は構造物の補修品質の低下を抑制することが可能な補修材セットを提供することである。
【課題を解決するための手段】
【０００６】
本開示に係る補修材セットは、構造物の補修材セットであって、補修材と水と養生剤とを備える。補修材は第１容器に収容される。水は第２容器に収容される。水は補修材と混合される。養生剤は第３容器に収容される。養生剤は、補修材と水とが混合された補修部材が構造物の補修箇所に配置された後、補修部材の表面に塗布される。補修材の質量は水の体積に基づき決定されている。
【考案の効果】
【０００７】
上記によれば、構造物の補修品質の低下を抑制することが可能な補修材セットが得られる。
【図面の簡単な説明】
【０００８】
【図１】実施の形態に係る補修材セットを示す模式図である。
【図２】実施の形態に係る補修材セットの変形例を示す模式図である。
【図３】図２に示された補修材セットに含まれる養生シートを示す模式図である。
【考案を実施するための形態】
【０００９】
以下、本開示の実施の形態を説明する。なお、同一の構成には同一の参照番号を付し、その説明は繰り返さない。
【００１０】
＜補修材セットの構成および作用効果＞
図１は、実施の形態に係る補修材セット１０を示す模式図である。補修材セット１０は、構造物の補修材セット１０であって、補修材１と水２と養生剤３と外装部材１５とを主に備える。補修材１は第１容器１１に収容される。練り混ぜ水としての水２は第２容器１２に収容される。養生剤３は第３容器１３に収容される。外装部材１５は、第１容器１１に収容された補修材１と、第２容器１２に収容された水２と、第３容器１３に収容された養生剤３とを内部に格納している。
【００１１】
補修材１としては、構造物の補修に用いる補修部材を構成できれば任意の材料を用いることができるが、たとえばポリマーセメントモルタル材である。補修材１の具体例としては、たとえば住友大阪セメント株式会社製のリフレモルセットＳＰ、あるいはボゾリスソリューションズ株式会社製のマスターエマコ（登録商標）Ｓ９９０を用いることができる。第１容器１１としては、補修材１を密封できれば任意の構成の容器を用いることができるが、たとえば樹脂製の袋状部材を用いる。第１容器１１の具体例としては、たとえばポリエチレン製の袋部材を用いることができる。
【００１２】
補修材１の質量は水２の体積に基づき決定されている。たとえば、水２の体積が０．４５リットル以上０．５５リットル以下である場合、補修材１の質量は２．６ｋｇ以上３．３ｋｇ以下である。水２は補修材１と混合され、モルタルなどの補修部材が形成される。なお、水２の体積に対する補修材１の質量は、補修材１の種類毎に適宜決定される。図１に示されるように、１つの補修材セット１０には、補修材１を収容した第１容器１１が２つ含まれている。１つの補修材セット１０に含まれる第１容器１１の数は３以上であってもよい。
【００１３】
水２としては、軟水を用いる事が好ましい。なお、ここで軟水とは硬度１２０ｍｇ／Ｌ未満の水を意味する。水２を収容する第２容器１２は、たとえば樹脂製の容器であってもよい。具体的には、第２容器１２としてＰＥＴ（ポリエチレンテレフタレート）ボトルを用いてもよい。図１に示されるように、１つの補修材セット１０には、水２を収容した第２容器１２が２つ含まれている。１つの補修材セット１０に含まれる第２容器１２の数は３以上であってもよい。
【００１４】
養生剤３は、補修材１と水２とが混合された補修部材が構造物の補修箇所に配置された後、当該補修部材の表面に塗布される。養生剤３はたとえばアクリルエマルジョンまたはアクリル樹脂系のポリマーディスパージョンであってもよい。養生剤３の具体例としては、たとえば住友大阪セメント株式会社製のリフレトリート、あるいはボゾリスソリューションズ株式会社製のマスターエマコ（登録商標）Ｃ１６０を用いることができる。養生剤３を収容する第３容器１３は、たとえば樹脂製の容器であってもよい。第３容器１３は、養生剤３を噴霧することが可能な噴霧機構を有していてもよい。第３容器１３に収容される養生剤３の分量は任意に設定できるが、たとえば５００ｍｌとしてもよい。
【００１５】
外装部材１５は、上記第１容器１１、第２容器１２および第３容器１３を格納できれば、任意の構成を採用できる。たとえば、外装部材１５として段ボール製の箱、樹脂製の箱、樹脂または布製の袋状部材などを用いることができる。
【００１６】
上述した補修材セット１０では、補修材１の質量は水２の体積に基づき決定されているため、当該補修材セット１０に含まれる補修材１と水２とを混練することで、適正な品質の補修部材（モルタル）を得ることができる。このため、当該補修部材を用いた構造物の補修品質の低下を抑制できる。また、補修材セット１０には養生剤３も含まれているため、構造物が設置された現地まで当該補修材セット１０だけを運搬することで、当該構造物の補修を行うことができる。
【００１７】
上記補修材セット１０は、外装部材１５に第１容器１１、第２容器１２および第３容器１３が格納されているので、当該補修材セット１０の運搬を容易に行うことができる。
【００１８】
＜補修材セットの変形例の構成および作用効果＞
図２は、実施の形態に係る補修材セット１０の変形例を示す模式図である。図３は、図２に示された補修材セット１０に含まれる養生シート４を示す模式図である。図２および図３に示された補修材セット１０は、基本的には図１に示された補修材セット１０と同様の構成を備えるが、養生シート４をさらに備えている点が異なる。複数の養生シート４が、補修材１を収容する第１容器１１などとともに外装部材１５に格納されている。養生シート４は、構造物の補修箇所に配置された補修部材の表面に養生剤３が塗布された後、当該養生剤３が塗布された補修部材の表面に貼付される。養生シート４の平面形状は任意の形状としてもよいが、たとえば長方形または正方形といった四角形状であってもよい。養生シート４の平面形状における１辺の長さは４ｃｍ以上８ｃｍ以下であってもよい。図３に示されるように、養生シート４は、たとえば厚みが０．１ｍｍであって、長さＬが７ｃｍ×幅Ｗが５ｃｍの長方形状を有するシート部材であってもよい。養生シート４は生分解シートであってもよい。養生シート４の材料としては、たとえばアキレス株式会社製のビオフレックス（登録商標）を用いてもよい。
【００１９】
＜補修材セットの使用方法＞
図１または図２に示された補修材セット１０の使用方法を説明する。作業者は、当該補修材セット１０を補修対象である構造物が設置されている場所まで運搬する。上述のように補修材セット１０は概ね５ｋｇ程度の質量であるため、比較的容易に運搬できる。また、補修材セット１０は段ボール製の箱など外装部材１５に格納されているので、当該外装部材１５ごと１つの貨物として運搬できる。なお、外装部材１５の内部から、補修材１が収容された第１容器１１、水２が収容された第２容器１２、養生剤３が収容された第３容器１３を取り出して別の鞄などに収容し、運搬してもよい。
【００２０】
構造物が設置されている場所において、作業者は第１容器１１から補修材１を取り出し、当該補修材１に第２容器の水２を混ぜて混練することで補修部材としてのモルタルを調整する。補修材１と水２との混練には、たとえばトロ舟などの浅型容器を用いてもよいが、補修材１と水２との混連が行えれば任意の道具を用いることができる。補修材１と水２との配合割合が適切になるように、補修材１の分量が決定されているため、調整されたモルタルの品質を一定に保つことができる。
【００２１】
次に、構造物の補修箇所に補修部材としてのモルタルを塗布して補修する。この補修工程では、ひび割れあるいは欠損などの補修箇所にモルタルを充填する。モルタルの塗布方法は従来周知の方法を用いることができる。
【００２２】
次に、塗布したモルタルの表面に、第３容器１３に収容されている養生剤３を散布する。養生剤３は、モルタルの表面を保護することで、当該モルタルのひび割れなどを抑制する。
【００２３】
図２に示された補修材セット１０を用いる場合、上述した養生剤３を補修部材としてのモルタルに散布した後に、モルタルの表面に養生シート４を貼付する。養生シート４は図３に示されるように比較的小さなサイズであるため、補修箇所に配置されたモルタルの表面形状に合わせて、隙間を作らないように当該養生シート４をモルタルの表面に貼付できる。養生シート４を上述のように生分解シートにより構成することで、上記のような補修作業を行ったあと、養生シート４をモルタルの表面に貼付しても、当該養生シート４は時間が立てば分解される。そのため、上記補修作業の後、所定の期間の後に養生シート４を回収するため構造物が設置された場所へ作業者が行く必要が無い。
【００２４】
このように、本実施形態に係る補修材セット１０を用いることで、構造物の補修品質を良好に保つことができる。また、補修材セット１０に含まれる補修材１の分量は比較的運搬に便利なように少量となっているので、作業者は補修材セット１０を容易に運搬できる。このため、作業者の負担を軽減しながら、構造物の補修品質を向上させることができる。
【００２５】
今回開示された実施の形態はすべての点で例示であって制限的なものではないと考えられるべきである。矛盾のない限り、今回開示された実施の形態の少なくとも２つを組み合わせてもよい。本開示の基本的な範囲は、上記した説明ではなく実用新案登録請求の範囲によって示され、実用新案登録請求の範囲と均等の意味および範囲内でのすべての変更が含まれることを意図される。
【符号の説明】
【００２６】
１  補修材、２  水、３  養生剤、４  養生シート、１０  補修材セット、１１  第１容器、１２  第２容器、１３  第３容器、１５  外装部材、Ｌ  長さ、Ｗ  幅。 
【図１】
0003234430.tif 000003
【図２】
0003234430.tif 000004
【図３】
0003234430.tif 000005